(57)【要約】【課題】切断作業をすることなく、建て入れ直しのワイヤロープを取り付け可能な、建て入れ調整用治具を提供する。【解決手段】建て入れ調整用治具１０は、端部にフックを有するワイヤロープを土間に固定する建て入れ調整用治具であって、平板状のベース部１１と、ベース部の上面に立設し、ワイヤロープのフックが引掛けられるリング部１２とを有する引掛かり部材１５と、土間に埋め込まれボルトにより引掛かり部材を着脱可能に固定するアンカ部材２０と、を備える。【選択図】図１
2020056163.tif 000002
【特許請求の範囲】
【請求項１】
端部にフックを有するワイヤロープを土間に固定する建て入れ調整用治具であって、
平板状のベース部と、該ベース部の上面に立設し前記ワイヤロープのフックが掛けられるリング部と、を有する引掛かり部材と、
土間に埋め込まれ、ボルトにより前記引掛かり部材を着脱可能に固定するアンカ部材と、
を備えることを特徴とする建て入れ調整用治具。
【請求項２】
前記アンカ部材は、ボルト孔の開口を土間の表面に露出させた状態で縦向けに埋設される複数の高ナットと、
前記複数の高ナットが並列した状態で前記複数の高ナットの一端に接続する第一プレートと前記複数の高ナットの他端に接続する第二プレートと、
を有することを特徴とする請求項１に記載の建て入れ調整用治具。
【請求項３】
前記引掛かり部材は、前記リング部に対して直交して前記ベース部の上面に立設し、前記ワイヤロープのフックが引掛けられる第二リング部をさらに有することを特徴とする請求項１又は２に記載の建て入れ調整用治具。
【請求項４】
請求項１から３のいずれか一項に記載の建て入れ調整用治具とワイヤロープとを用いて、柱及び梁の建て入れ調整を行う建て入れ調整方法であって、
前記建て入れ調整用治具の前記アンカ部材を、該アンカ部材に取り付けられる前記引掛かり部材の前記リング部の平面方向が前記梁に設けられた取り付け用リングに向くように、土間に埋め込むことと、
前記引掛かり部材を前記アンカ部材に固定することと、
前記ワイヤロープの一端を前記梁に設けられた前記取り付け用リングに取り付けることと、
前記引掛かり部材の前記リング部に前記ワイヤロープの前記フックを掛けることと、を含むことを特徴とする建て入れ調整方法。
【発明の詳細な説明】
【技術分野】
【０００１】
本発明は、建て入れ調整用治具及び建て入れ調整方法に係り、特に躯体の建て入れ直しを行う際に使用される建て入れ調整用治具及びそれを用いた建て入れ調整方法に関する。
【背景技術】
【０００２】
鉄骨造又は鉄骨鉄筋コンクリート造等の建物を建てる際、鉄骨柱の鉛直度の精度を確保するため、建て方後に梁や柱などの倒れ、水平度、曲がりなどを修正する、所謂建て入れ直しが行われる。建て入れ直しの方法として、従来、柱や梁にワイヤロープを巻きつけて、レバーブロック（登録商標）等によりワイヤロープを緊張させることで鉄骨柱の鉛直精度を所定の精度に収めることが行われてきた。また、このような躯体の建て入れ直しを行うために、例えば特許文献１に、柱の下部と中間部において斜めに配置されたワイヤロープ及びチェーンを電動の牽引機により捲取る構成が開示されている。
【先行技術文献】
【特許文献】
【０００３】
【特許文献１】実開平６−７８３８７号公報
【発明の概要】
【発明が解決しようとする課題】
【０００４】
従来、建て入れ直しに用いられるワイヤロープ等は、端部に設けられたフックを基礎又は土間に埋め込まれたオメガ状又はリング状の鉄筋（オメガ筋）に引掛けることにより取り付けられていた。基礎又は土間に埋め込まれたオメガ筋は、建て入れ直しの後、不要になるが、そのまま残存させると内装や外装の納まりに影響を与える。そのため、使用後はオメガ筋を切断する必要があるが、その切断作業の業務負荷が大きいことが課題となっていた。
【０００５】
また、このようなオメガ筋を用いずに、ワイヤロープを柱に直接巻きつける場合、通り心から偏心して荷重が加わり、ワイヤロープが切れる可能性があった。また、ワイヤロープを柱頭、柱脚ではなく梁にあだ巻きすると、フランジの端部とワイヤロープが接触し擦れることで切断される可能性があった。ワイヤロープを柱に巻きつける作業や、柱に巻きつける長さを調整する作業に時間がかかり、また、ワイヤロープを柱に巻きつけると鉄骨塗装が剥がれ、再塗装の追加作業が発生する場合があった。
【０００６】
本発明は前記の課題に鑑みてなされたものであって、その目的は、切断作業をすることなく、建て入れ直しのワイヤロープを取り付け可能な建て入れ調整用治具を提供することにある。
【課題を解決するための手段】
【０００７】
前記課題は、端部にフックを有するワイヤロープを土間に固定する建て入れ調整用治具であって、平板状のベース部と、前記ベース部の上面に立設し、前記ワイヤロープのフックが掛けられるリング部とを備える引掛かり部材と、土間に埋め込まれボルトにより前記引掛かり部材を着脱可能に固定するアンカ部材と、を備える建て入れ調整用治具によって解決される。
【０００８】
引掛かり部材がアンカ部材に着脱可能に固定されるため、建て入れ直し作業の後に引掛かり部材を取り外すだけでよく、従来のように鉄筋の切断作業を必要としない。引っ掛かり部材は残存することはなく、取り外した引っ掛かり部材は、他の柱や梁を建て入れ直しする際に再度使用することができる。ワイヤロープを柱や梁に巻きつけることがないため、ワイヤロープが梁のフランジ端部等に接触して切断されることはなく、また、巻きつけの作業や長さの調整作業もない。ワイヤロープを柱や梁に巻きつけないため、鉄骨塗装が剥がれることがなく、再塗装等の追加作業が発生することはない。
【０００９】
また、前記アンカ部は、ボルト孔の開口を土間の表面に露出させた状態で縦向けに埋設される複数の高ナットと、前記複数の高ナットが並列した状態で前記複数の高ナットの一端と接続する第一プレートと前記複数の高ナットの他端と接続する第二プレートと、を備えてよい。
アンカ部材は、ボルト孔を土間の表面に露出させた状態で埋設されるため、引掛かり部材をボルトにより固定することができる。また、複数の高ナットが並列した状態で、第一及び第二プレートに接続され土間に埋め込まれることから、アンカ部材は土間に対して強固に固定される。
【００１０】
また、前記引掛かり部材は、前記リング部に対して直交して前記ベース部の上面に立設し、前記ワイヤロープのフックが引掛けられる第二リング部をさらに備えてよい。第二リング部を備えることにより、二方向から延びるワイヤロープを、一つの建て入れ調整用治具で取り付けることが可能になる。
【００１１】
また、前記課題は、前記建て入れ調整用治具とワイヤロープとを用いて、柱及び梁の建て入れ調整を行う建て入れ調整方法であって、前記建て入れ調整用治具の前記アンカ部材を、該アンカ部材に取り付けられる前記引掛かり部材の前記リング部の平面方向が前記梁に設けられた取り付け用リングに向くように、土間に埋め込むことと、前記引掛かり部材を前記アンカ部材に固定することと、前記ワイヤロープの一端を前記梁に設けられた前記リングに取り付けることと、前記引掛かり部材の前記リング部に前記ワイヤロープの前記フックを掛けることと、を含むことを特徴とする建て入れ調整方法によって解決される。
建て入れ調整用治具の引掛かり部材が土間に埋め込まれたアンカ部材に着脱可能に固定されるため、建て入れ調整後は引掛かり部材を取り外すだけでよく、建て入れ調整後に鉄筋の切断作業を必要としない。
【発明の効果】
【００１２】
本発明に係る建て入れ調整用治具によれば、切断作業をすることなく、建て入れ直しのワイヤロープを取り付けることが可能となり、作業負荷を軽減することができる。
【図面の簡単な説明】
【００１３】
【図１】本発明に係る建て入れ調整用治具の斜視図である。
【図２】建て入れ調整用治具の三面図であり、（ａ）は平面図、（ｂ）は正面図、（ｃ）は側面図である。
【図３】建て入れ調整用治具の別例を示す斜視図である。
【図４】図３に示す建て入れ調整用治具の三面図であり、（ａ）は平面図、（ｂ）は正面図、（ｃ）は側面図である。
【図５】建て入れ調整用治具の使用状態を示す斜視図である。
【図６】土間アンカを足場倒壊防止用の足場内控えに利用した例を示す斜視図である。
【発明を実施するための形態】
【００１４】
以下、図１〜図５に基づき、本発明の一実施形態（以下、本実施形態）について説明する。以下の実施形態において同一又は類似の構成要素には共通の参照符号を付して示し、理解を容易にするために、これら図面は縮尺を適宜変更している。
【００１５】
建て入れ調整用治具１０は、建て入れ作業の際に用いられる治具であり、例えば梁の下面から土間まで斜め方向に延びるワイヤロープ１０６を、土間側に取り付けるための治具である。ワイヤロープ１０６は、図５に示すように端部にフック１０７を有する。建て入れ調整用治具１０は、このフックが引っ掛かる引掛かり部材１５と、引掛かり部材１５を土間に固定する土間アンカ２０（アンカ部材の一例）とを備える。
【００１６】
引掛かり部材１５は、図１に示すように平板状のベース部１１と、ベース部１１の上面に立設するリング部１２とを備える。リング部１２に形成された貫通孔１２ａにワイヤロープのフックを通すことにより、ワイヤロープが引掛かり部材１５に取り付けられる。ベース部１１には、図２（ａ）に示すように土間アンカ２０とボルト接合するために、例えば、所定の間隔Ｌをあけて四つの貫通孔１３が形成される。
【００１７】
土間アンカ２０（アンカ部材）は、例えば土間の打設時に土間に埋め込まれる部材であり、本実施形態の土間アンカ２０は、並列する二つの高ナット２１と、並列した状態で二つの高ナット２１の一端２１ａと接続する第一プレート２２と、他端２１ｂと接続する第二プレート２３とを有する。高ナット２１は、第一プレート２２に所定の間隔Ｌをあけてボルト２５により固定される。高ナット２１は、第一プレート２２に溶接により固定されてもよい。土間アンカ２０は、高ナット２１をボルト孔の開口を土間の表面に露出させ縦向けにした状態で、第二プレート２３があるところまで土間に埋設される。
【００１８】
二つの高ナット２１が一端側（下端側）で第一プレート２２により固定された状態で、土間に埋め込まれることから、埋設後、土間アンカ２０は抜けにくくなる。
【００１９】
引掛かり部材１５のベース部１１には、上述したように四つの貫通孔１３が形成される。引掛かり部材１５は、貫通孔１３に取り付け用ボルト２４を通して、高ナット２１とボルト接合することにより、土間アンカ２０に着脱可能に固定される。使用者は、四つの貫通孔１３が所定の間隔Ｌをあけて形成されている場合、引掛かり部材１５の四つの貫通孔１３のうち隣り合う二つの貫通孔１３を選択し、取り付け用ボルト２４を選択した貫通孔１３に通して土間アンカ２０に固定する。それにより、使用者はリング部１２の平面方向（図１、図２（ａ）のＡ方向、リング部１２の貫通孔１２ａの径方向）を、ワイヤロープが延びる方向に固定することができる。
【００２０】
図３及び図４に別例である建て入れ調整用治具３０を示す。建て入れ調整用治具３０の引掛かり部材３５は、リング部３２とは別にさらに、リング部３２と直交する向きに、第二リング部３４を設けている。第二リング部３４を設けることで、互いに直交する二方向に延びる二本のワイヤロープを取り付けることができる。また、リング部３２のみで、互いに直交する二方向に延びる二本のワイヤロープを支持する場合、リング部３２の平面方向（図３の矢印Ａ方向）に対して垂直な方向にも力がかかり、不安定な状態となる。第二リング部３４を設けることでリング部３２の平面方向に対して垂直な方向、第二リング部３４の平面方向（図３の矢印Ｂ方向）に延びるワイヤロープを取り付けることができる。そのため、例えばベース部１１に対してリング部３２が破損することを防止される。土間アンカ２０の構成は、図１及び２に示す建て入れ調整用治具１０と同じであるため、その説明は省略する。
【００２１】
図５に本実施形態の建て入れ調整用治具１０、３０の使用状態を示す。建て入れ調整用治具１０、３０とワイヤロープ１０６により、三本の柱１０１〜１０３とそれらを支持する梁１０４、１０５との建て入れ調整が行われる。柱１０２に接続する梁１０４、１０５の端部の下面に取り付け用リング４０が設けられる。ワイヤロープ１０６は、取り付け用リング４０から、柱１０１、１０３の根本付近に固定された建て入れ調整用治具１０まで張られる。柱１０１、１０３については、柱１０１、１０３に接続する梁１０４、１０５の端部の下面に設けられた取り付け用リング４０からワイヤロープ１０６が延び、二本のワイヤロープ１０６のフックが建て入れ調整用治具３０に取り付けられる。ワイヤロープ１０６のレバーブロック１０８により、柱１０１〜１０３及び梁１０４、１０５の傾き等が調整される。なお、梁１０４、１０５に設けられた取り付け用リング４０は、引掛かり部材１５であってもよい。
【００２２】
建て入れ調整用治具１０とワイヤロープ１０６を用いた建て入れ調整方法について説明する。まず、建て入れ調整用治具１０の土間アンカ２０を土間に埋め込む。土間アンカ２０の土間の埋め込みは、土間の打設時に、すなわち、土間のコンクリートが固まる前に行われる。このとき、土間アンカ２０に取り付けられる引掛かり部材１５のリング部１２の平面方向が、梁１０４、１０５に設けられた取り付け用リング４０に向くように、土間アンカ２０を埋め込む。そして、コンクリートが固まった後、建て入れ調整のために、引掛かり部材１５を土間アンカ２０にボルト接合により固定する。ワイヤロープ１０６の上方端部を梁１０４、１０５に設けられた取り付け用リング４０に取り付ける。引掛かり部材１５のリング部１２にワイヤロープ１０６のフック１０７を掛ける。ワイヤロープ１０６のレバーブロック１０８により、建て入れ調整を行う。建て入れ調整後は、土間アンカ２０から引掛かり部材１５が取り外される。土間アンカ２０は、ほぼ埋設されているため内装や外装の納まりに影響を与えることはなく、建て入れ調整後の切断作業は必要ない。
【００２３】
土間に埋設された土間アンカ２０は、建て入れ調整のためだけでなく、例えば図６に示す足場等を建物の内側から支持する足場内側控え２００を固定するために利用可能である。従来、足場内側控え２００は、躯体用のアンカに接合されるか、基礎２０１にホールインアンカを形成して接合されていた。しかしながら、躯体用のアンカに接合すると、建方開始時に躯体用のアンカから足場内側控え２００を取り外さなくてはならなかった。また、ホールインアンカは作製に時間と手間がかかるため施工時の負荷が大きい。そのため、土間２０２の打設時に土間アンカ２０を埋めておくことにより、比較的手間をかけることなく、足場内側控え２００を固定することができる。
【００２４】
上記実施形態では、主として本発明に係る建て入れ調整用治具に関して説明した。ただし、上記形態は、本発明の理解を容易に理解するための一例に過ぎず、本発明を限定するものではない。本発明は、その趣旨を逸脱することなく、変更、改良され得ると共に、本発明にはその等価物が含まれることはもちろんである。
【符号の説明】
【００２５】
１０、３０    建て入れ調整用治具
１１、３１    ベース部
１２、３２    リング部
１３、３３    貫通孔
１５、３５    引掛かり部材
３４    第二リング部
２０    土間アンカ（アンカ部材）
２１    高ナット
２２    第一プレート
２３    第二プレート
２４    取り付け用ボルト
２５    固定ボルト
４０    取り付け用リング
１００  躯体
１０１〜１０３    柱
１０４〜１０５    梁
１０６    ワイヤロープ
１０７    フック
１０８    レバーブロック
２００    足場内控え
２０１    基礎
２０２    土間
【図１】
2020056163.tif 000003
【図２】
2020056163.tif 000004
【図３】
2020056163.tif 000005
【図４】
2020056163.tif 000006
【図５】
2020056163.tif 000007
【図６】
2020056163.tif 000008